(57)【要約】【課題】電子部品の放熱板から放熱部材への放熱性を確保するとともに、放電による絶縁性破壊を回避することができる電子部品の取付構造を提供する。【解決手段】電子部品の放熱板２の取付け孔２ａに絶縁ブッシュ４が挿入されるとともに、放熱板２と放熱フィン１との間に絶縁性薄板３が介在された状態において、放熱板２の取付け孔２ａからネジ５が放熱フィン１のネジ穴１ａに螺入される。ネジ穴１ａの開口部に座繰り部６を設けて、絶縁ブッシュ４を、放熱板２と絶縁性薄板３を貫通して座繰り部６の内部に突出させるとともに、絶縁性薄板３における絶縁ブッシュ４が通る透孔３ａを、座繰り部６の開口部よりも小さくしている。【選択図】        図１
2004356596.tif 000002
【特許請求の範囲】
【請求項１】
電子部品の放熱板（２）の取付け孔（２ａ）に絶縁ブッシュ（４）が挿入されるとともに、電子部品の放熱板（２）と放熱部材（１，３０）との間に絶縁性薄板（３）が介在された状態において、電子部品の放熱板（２）の取付け孔（２ａ）からネジ（５）が放熱部材側のネジ穴（１ａ，３１ａ）に螺入されることにより、電子部品が放熱部材（１，３０）に取付けられた構造であって、
放熱部材側でのネジ穴（１ａ，３１ａ）の開口部に座繰り部（６，３２）を設けるとともに、絶縁ブッシュ（４）を、電子部品の放熱板（２）と絶縁性薄板（３）を貫通して座繰り部（６，３２）の内部に突出させ、さらに、絶縁性薄板（３）における絶縁ブッシュ（４）が通る透孔（３ａ）を、座繰り部（６，３２）の開口部よりも小さくしたことを特徴とする電子部品の取付構造。
【請求項２】
電子部品の放熱板（２）の取付け孔（２ａ）に絶縁ブッシュ（４）が挿入されるとともに、電子部品の放熱板（２）と放熱部材（１）との間に絶縁性薄板（３）が介在された状態において、電子部品の放熱板（２）の取付け孔（２ａ）からネジ（５）が放熱部材側のネジ穴（１ａ）に螺入されることにより、電子部品が放熱部材（１）に取付けられた構造であって、
電子部品の放熱板（２）での取付け孔（２ａ）の開口部に座繰り部（１０）を設けるとともに、絶縁ブッシュ（４）を、電子部品の放熱板（２）を貫通して座繰り部（１０）の内部に突出させ、さらに、絶縁性薄板（３）におけるネジ（５）が通る透孔（３ａ）を、座繰り部（１０）の開口部よりも小さくしたことを特徴とする電子部品の取付構造。
【請求項３】
電子部品の放熱板（２）の取付け孔（２ａ）に絶縁ブッシュ（４）が挿入されるとともに、電子部品の放熱板（２）と放熱部材（１，３０）との間に絶縁性薄板（３）が介在された状態において、電子部品の放熱板（２）の取付け孔（２ａ）からネジ（５）が放熱部材側のネジ穴（１ａ，３１ａ）に螺入されることにより、電子部品が放熱部材（１，３０）に取付けられた構造であって、
放熱部材側でのネジ穴（１ａ，３１ａ）の開口部に第１の座繰り部（２０，４０）を設けるとともに、電子部品の放熱板（２）での取付け孔（２ａ）の開口部に第２の座繰り部（２１，４１）を設け、また、絶縁ブッシュ（４）を、少なくとも電子部品の放熱板（２）を貫通して少なくとも第２の座繰り部（２１，４１）の内部に突出させ、さらに、絶縁性薄板（３）におけるネジ（５）が通る透孔（３ａ）を、第１および第２の座繰り部（２０，２１，４０，４１）の開口部よりも小さくしたことを特徴とする電子部品の取付構造。
【請求項４】
座繰り部（３２）は、板状の放熱部材（３０）を貫通する貫通孔であることを特徴とする請求項１または２に記載の電子部品の取付構造。
【請求項５】
第１の座繰り部（４０）は、板状の放熱部材（３０）を貫通する貫通孔であることを特徴とする請求項３に記載の電子部品の取付構造。
【発明の詳細な説明】
【０００１】
【発明の属する技術分野】
本発明は、電子部品の取付構造に関するものである。
【０００２】
【従来の技術】
パワートランジスタ等の電子部品で、かつ、電子部品の放熱板がコレクタ端子やドレイン端子と導通するとともに、部品表面に露出している構造の電子部品において、電子部品の放熱板と放熱部材の間にマイカ板等の絶縁性薄板を挿入して電子部品と放熱部材間の絶縁性を確保する技術がある。これを、図９，１０，１１，１２，１３を用いて説明する。
【０００３】
図９，１０には、プリント基板１００に放熱部材１０１を用いて電子部品１０２を実装する場合の構成例を示す。図９は正面図であり、図１０は側面図（図９のＡ矢視図）である。プリント基板１００の上に放熱部材１０１が固定されている。また、電子部品１０２の端子１０４はプリント基板１００を貫通した状態でハンダ付けされている。電子部品１０２の放熱板１０３はコレクタ端子と導通している。放熱板１０３と放熱部材１０１との間には絶縁性薄板１０５が介在され、ネジ１０６にて放熱板１０３が放熱部材１０１に固定されている。
【０００４】
より具体的な説明を加えるならば、誘導性電気負荷の通電をスイッチング制御する技術がある。例えば、点火コイルの１次コイルに通電制御用の電子部品を接続し、２次コイル側に点火プラグを接続する。１次コイルへの通電遮断時にコイルに誘電された高電圧が発生し、点火プラグに火花が発生するとともに、１次コイル側すなわち通電制御用の電子部品にもフライバック電圧による高電圧が発生することが知られている。この場合の通電制御用電子部品の実装構造として、図９，１０に示す構造が用いられる。
【０００５】
図９，１０での電子部品１０２の構成例を、図１１に示す。図１１において、金属フレーム１１０にチップ１１１が搭載されている。チップ１１１はリードフレーム１１２，１１３，１１４と電気的に接続されている。また、樹脂１１５にてチップ１１１と金属フレーム１１０の一部とリードフレーム１１２，１１３，１１４の一部がモールドされている。金属フレーム１１０においてモールドされていない箇所が放熱板として機能し、当該部位には取付け孔（貫通孔）１１６が設けられている。
【０００６】
図１２には、電子部品の放熱板１０３における放熱部材１０１への取付部分を示す。図１２に示すように、電子部品の放熱板１０３の取付け孔１０３ａに絶縁ブッシュ１０７を挿入するとともに、電子部品の放熱板１０３と放熱部材１０１との間に絶縁性薄板１０５を介在させている。この状態において、電子部品の放熱板１０３の取付け孔１０３ａからネジ１０６を放熱部材１０１のネジ穴１０１ａに螺入することにより、電子部品を放熱板１０３に取付けている。このとき、図１３に示すように、電子部品の放熱板の取付け孔１０３ａの先端部分および絶縁性薄板の透孔１０５ａの内部にて空間Ｓ１０が形成される。この空間Ｓ１０により、電子部品の放熱板１０３と放熱部材１０１との間に空間ギャップ（放電経路）Ｌ１００が形成されるとともに放熱板１０３とネジ１０６との間に空間ギャップ（放電経路）Ｌ１０１が形成される。
【０００７】
しかし、電子部品１０２のフライバック電圧が例えば最大５００ボルトと高くなった場合、空間ギャップの狭さに起因する放電による絶縁性破壊が発生する問題がある。
【０００８】
この対策として、図１４に示すように、絶縁性薄板１０５の板厚ｔ１００と絶縁ブッシュ１０７の肉厚ｔ１０１を厚くし、空間ギャップを拡大させて放電による絶縁性破壊を回避することができる。しかしながら、こうすると、放熱経路の熱抵抗が上昇するため、電子部品の放熱性が悪化し、電子部品の耐熱性限界を超過する問題が生じる。
【０００９】
【発明が解決しようとする課題】
本発明は、このような背景の下になされたものであり、その目的は、電子部品の放熱板から放熱部材への放熱性を確保するとともに、放電による絶縁性破壊を回避することができる電子部品の取付構造を提供することにある。
【００１０】
【課題を解決するための手段】
請求項１に記載の発明は、放熱部材側でのネジ穴の開口部に座繰り部を設けるとともに、絶縁ブッシュを、電子部品の放熱板と絶縁性薄板を貫通して座繰り部の内部に突出させ、さらに、絶縁性薄板における絶縁ブッシュが通る透孔を、座繰り部の開口部よりも小さくしたことを特徴としている。
【００１１】
この場合、絶縁ブッシュが突出した座繰り部の内部、および、座繰り部の開口部よりも小さい絶縁性薄板の透孔の内部に空間が形成される。
一方、図１３に示した従来構造においては電子部品の放熱板の取付け孔１０３ａの先端部分および絶縁性薄板の透孔１０５ａの内部にて空間Ｓ１０が形成されていた。そして、電子部品の放熱板１０３と放熱部材１０１との間の空間ギャップＬ１００は、ほぼ絶縁性薄板１０５の板厚ｔ１００であり、電子部品の放熱板１０３と取付けネジ１０６との間の空間ギャップＬ１０１は、絶縁ブッシュ１０７の肉厚ｔ１０１であった。
【００１２】
これに対し、本発明においては電子部品の放熱板と放熱部材との間の空間ギャップを大きくすることができるとともに電子部品の放熱板と取付けネジとの間の空間ギャップを大きくすることができ、絶縁性が向上する。また、図１４に示したように絶縁性薄板１０５の厚さを変更する必要がなく、そのため、放熱性を図１２に示した構造と同等に維持することが可能となる。その結果、電子部品の放熱板から放熱部材への放熱性を確保するとともに、放電による絶縁性破壊を回避することができる。
【００１３】
請求項２に記載の発明は、電子部品の放熱板での取付け孔の開口部に座繰り部を設けるとともに、絶縁ブッシュを、電子部品の放熱板を貫通して座繰り部の内部に突出させ、さらに、絶縁性薄板におけるネジが通る透孔を、座繰り部の開口部よりも小さくしたことを特徴としている。
【００１４】
この場合、絶縁ブッシュが突出した座繰り部の内部、および、座繰り部の開口部よりも小さい絶縁性薄板の透孔の内部に空間が形成される。
一方、図１３に示した従来構造においては電子部品の放熱板の取付け孔１０３ａの先端部分および絶縁性薄板の透孔１０５ａの内部にて空間Ｓ１０が形成されていた。そして、電子部品の放熱板１０３と放熱部材１０１との間の空間ギャップＬ１００は、ほぼ絶縁性薄板１０５の板厚ｔ１００であり、電子部品の放熱板１０３と取付けネジ１０６との間の空間ギャップＬ１０１は、絶縁ブッシュ１０７の肉厚ｔ１０１であった。
【００１５】
これに対し、本発明においては電子部品の放熱板と放熱部材との間の空間ギャップを大きくすることができるとともに電子部品の放熱板と取付けネジとの間の空間ギャップを大きくすることができ、絶縁性が向上する。また、図１４に示したように絶縁性薄板１０５の厚さを変更する必要がなく、そのため、放熱性を図１２に示した構造と同等に維持することが可能となる。その結果、電子部品の放熱板から放熱部材への放熱性を確保するとともに、放電による絶縁性破壊を回避することができる。
【００１６】
請求項３に記載の発明は、放熱部材側でのネジ穴の開口部に第１の座繰り部を設けるとともに、電子部品の放熱板での取付け孔の開口部に第２の座繰り部を設け、また、絶縁ブッシュを、少なくとも電子部品の放熱板を貫通して少なくとも第２の座繰り部の内部に突出させ、さらに、絶縁性薄板におけるネジが通る透孔を、第１および第２の座繰り部の開口部よりも小さくしたことを特徴としている。
【００１７】
この場合、少なくとも第２の座繰り部に絶縁ブッシュが突出し、座繰り部（第１、第２の座繰り部）の内部、および、第１及び第２の座繰り部の開口部よりも小さい絶縁性薄板の透孔の内部に空間が形成される。
【００１８】
一方、図１３に示した従来構造においては電子部品の放熱板の取付け孔１０３ａの先端部分および絶縁性薄板の透孔１０５ａの内部にて空間Ｓ１０が形成されていた。そして、電子部品の放熱板１０３と放熱部材１０１との間の空間ギャップＬ１００は、ほぼ絶縁性薄板１０５の板厚ｔ１００であり、電子部品の放熱板１０３と取付けネジ１０６との間の空間ギャップＬ１０１は、絶縁ブッシュ１０７の肉厚ｔ１０１であった。
【００１９】
これに対し、本発明においては電子部品の放熱板と放熱部材との間の空間ギャップを大きくすることができるとともに電子部品の放熱板と取付けネジとの間の空間ギャップを大きくすることができ、絶縁性が向上する。また、図１４に示したように絶縁性薄板１０５の厚さを変更する必要がなく、そのため、放熱性を図１２に示した構造と同等に維持することが可能となる。その結果、電子部品の放熱板から放熱部材への放熱性を確保するとともに、放電による絶縁性破壊を回避することができる。
【００２０】
請求項４に記載のように、請求項１または２に記載の電子部品の取付構造における座繰り部は板状の放熱部材を貫通する貫通孔であっても、請求項５に記載のように、請求項３に記載の電子部品の取付構造における第１の座繰り部は板状の放熱部材を貫通する貫通孔であってもよい。
【００２１】
【発明の実施の形態】
（第１の実施の形態）
以下、この発明を具体化した第１の実施の形態を図面に従って説明する。
【００２２】
図１には、本実施の形態における電子部品の取付構造を示す。図２は、図１におけるＹ部の拡大図である。
本実施形態においては、図９，１０に示したように、プリント基板１００に放熱部材（１０１）を用いて電子部品を実装する場合を想定しており、プリント基板１００の上に放熱部材（１０１）が固定されている。また、電子部品の端子はプリント基板１００を貫通した状態でハンダ付けされている。電子部品としては図１１に示したものを使用している。
【００２３】
図１において、放熱部材として放熱フィン１を用いている。電子部品の放熱板２は電子部品のコレクタ端子と接続されている。また、電子部品の放熱板２には取付け孔２ａが形成されている。放熱板２の取付け孔２ａには厚さｔ２の絶縁ブッシュ（絶縁性円筒材）４が挿入されている。電子部品の放熱板２と放熱フィン１との間には絶縁性薄板（絶縁性板材）３が介在されている。絶縁性薄板３として、例えば、厚さｔ１が０．１ｍｍのマイカ板を用いる。この状態において、電子部品の放熱板２の取付け孔２ａからネジ５が放熱フィン１に設けたネジ穴（放熱部材側のネジ穴）１ａに螺入され、放熱板２と放熱フィン１が絶縁性薄板３を挟んでネジ５により締結されている。これにより、電子部品が放熱フィン１に取付けられている。ネジ５と放熱フィン１は導体である。絶縁ブッシュ４により電子部品の放熱板２とネジ５とが電気的に絶縁されている。また、絶縁性薄板３により電子部品の放熱板２と放熱フィン１とが電気的に絶縁されている。
【００２４】
電子部品の放熱板２、即ち、電子部品のコレクタ端子には、例えば最大５００ボルトの電圧が発生する。ネジ５と放熱フィン１は、グランド（ＧＮＤ）に接続されている。このため、電子部品の放熱板２とネジ５との間、及び、電子部品の放熱板２と放熱フィン１との間において高い絶縁性を確保する必要がある。また、電子部品で発生した熱は放熱板２へ伝熱し、主に絶縁性薄板３を介して放熱フィン１へ放熱されるがその際、電子部品の放熱板２と放熱フィン１との間は高い放熱性を確保する必要がある。
【００２５】
放熱フィン１でのネジ穴１ａの開口部には、深さがｄ１の座繰り部６が設けられている。座繰り部６は、絶縁ブッシュ４を挿入することができるサイズである。絶縁ブッシュ４は、電子部品の放熱板２と絶縁性薄板３を貫通して座繰り部６の内部に距離ｄ２だけ突出している（ｄ２＜ｄ１）。即ち、絶縁ブッシュ４は、放熱板２と絶縁性薄板３を貫通して放熱フィン１の座繰り部６へ挿入される長さとしている。
【００２６】
さらに、絶縁性薄板３における絶縁ブッシュ４が通る透孔３ａは、座繰り部６の開口部よりも幅Ｗ１だけ小さくなっている。即ち、絶縁性薄板３の透孔３ａはその穴径が絶縁ブッシュ４が挿入可能な直径で、かつ、放熱フィン１の座繰り部６の穴径より小さい。
【００２７】
絶縁ブッシュ４が突出した座繰り部６の内部、および、座繰り部６の開口部よりも小さい絶縁性薄板の透孔３ａの内部に空間Ｓ１が形成される。この空間Ｓ１により、電子部品の放熱板２と放熱フィン１との間に空間ギャップＬ１，Ｌ２が形成されるとともに、電子部品の放熱板２と取付けネジ５との間に空間ギャップＬ３が形成される。空間ギャップ（距離）Ｌ１は、ｔ１＋Ｗ１であり、空間ギャップ（距離）Ｌ２は、ｔ１＋ｄ１であり、空間ギャップ（距離）Ｌ３は、ｔ１＋ｄ２＋ｔ２である。
【００２８】
一方、図１３に示した従来構造においては電子部品の放熱板の取付け孔１０３ａの先端部分および絶縁性薄板の透孔１０５ａの内部にて空間Ｓ１０が形成されていた。この空間Ｓ１０により電子部品の放熱板１０３と放熱部材１０１との間に空間ギャップＬ１００が形成されるとともに、電子部品の放熱板１０３とネジ１０６との間に空間ギャップＬ１０１が形成されていた。空間ギャップＬ１００は、ほぼ絶縁性薄板１０５の板厚ｔ１００であり、空間ギャップＬ１０１は絶縁ブッシュ１０７の肉厚ｔ１０１であった。
【００２９】
このようにして、本実施形態においては、図２に示すごとく電子部品の放熱板２と放熱フィン１との間の空間ギャップ（距離）Ｌ１，Ｌ２を、Ｗ１やｄ１分だけ大きくすることができる。また、電子部品の放熱板２と取付けネジ５との間の空間ギャップ（距離）Ｌ３を、（ｔ１＋ｄ２）分だけ大きくすることができる。即ち、図１２，１３の構造に比べ、放熱板２〜ネジ５間、及び、放熱板２〜放熱フィン１間において、空間ギャップが拡大される。よって、空間絶縁性を向上させることができる。
【００３０】
また、図１４に示したように絶縁性薄板１０５の厚さを変更する必要がなく、そのため、放熱性を図１２に示した構造と同等に維持することが可能となる。即ち、放熱性も絶縁性薄板３の厚さｔ１（図１参照）を変更する必要がないため、図１２の構造と同等性能に維持することができる。
【００３１】
その結果、電子部品の放熱板２から放熱フィン１への放熱性を確保するとともに、放電による絶縁性破壊を回避することができる（放熱性を維持したまま絶縁性を向上させることができる）。
（第２の実施の形態）
次に、第２の実施の形態を、第１の実施の形態との相違点を中心に説明する。
【００３２】
図３には、本実施の形態における電子部品の取付構造を示す。図４は、図３におけるＹ部の拡大図である。
本実施形態においては、電子部品放熱板２に座繰りを入れて座繰り部１０を形成することにより空間ギャップＬ１１，Ｌ１２，Ｌ１３を確保している。詳しくは、電子部品の放熱板２における放熱フィン１と対向する面での取付け孔２ａの開口部に深さｄ１１の座繰り部１０を設けている。また、絶縁ブッシュ４を、電子部品の放熱板２を貫通して座繰り部１０の内部に距離ｄ１２だけ突出させている。換言すれば、穴深さを絶縁ブッシュ４が突出する深さとした座繰り部１０を設けている。また、絶縁性薄板３におけるネジ５が通る透孔３ａを、座繰り部１０の開口部よりも幅Ｗ１１だけ小さくしている。即ち、絶縁性薄板３の透孔（電子部品取付け穴）３ａの穴径を、放熱板２の座繰り部１０の直径より小さく、かつ、取付けネジ径より大きくしている。
【００３３】
絶縁ブッシュ４が突出した座繰り部１０の内部、および、座繰り部１０の開口部よりも小さい絶縁性薄板の透孔３ａの内部に空間Ｓ２が形成される。この空間Ｓ２により、電子部品の放熱板２と放熱フィン１との間に空間ギャップＬ１１，Ｌ１２が形成されるとともに、電子部品の放熱板２と取付けネジ５との間に空間ギャップＬ１３が形成される。空間ギャップ（距離）Ｌ１１は、ｔ１＋Ｗ１１であり、空間ギャップ（距離）Ｌ１２は、ｔ１＋ｄ１１であり、空間ギャップ（距離）Ｌ１３は、ｄ１２＋ｔ２である。
【００３４】
このようにして、図１３に示した従来構造に比べ本実施形態においては電子部品の放熱板２と放熱フィン１との間の空間ギャップ（距離）Ｌ１１，Ｌ１２を、Ｗ１１やｄ１１分だけ大きくすることができる。また、電子部品の放熱板２と取付けネジ５との間の空間ギャップ（距離）Ｌ１３を、ｄ１２分だけ大きくすることができる。よって、絶縁性が向上する。また、図１４に示したように絶縁性薄板１０５の厚さを変更する必要がなく、そのため、放熱性を図１２に示した構造と同等に維持することが可能となる。その結果、電子部品の放熱板２から放熱フィン１への放熱性を確保するとともに、放電による絶縁性破壊を回避することができる（放熱性を維持したまま絶縁性を向上させることができる）。
（第３の実施の形態）
次に、第３の実施の形態を、第１，２の実施の形態との相違点を中心に説明する。
【００３５】
図５には、本実施の形態における電子部品の取付構造を示す。図６は、図５におけるＹ部の拡大図である。
図５に示すように、放熱フィン１および電子部品放熱板２における対向する面の双方に座繰り部２０，２１を設け、図１，３よりも更に空間ギャップを広げ、絶縁性を高めている。つまり、図６において、放熱フィン１に設けたネジ穴１ａの開口部に深さｄ３１の第１の座繰り部２０を設けるとともに、電子部品の放熱板２での取付け孔２ａの開口部に深さｄ３２の第２の座繰り部２１を設けている。そして、絶縁ブッシュ４を、電子部品の放熱板２と絶縁性薄板３を貫通して第１の座繰り部２０の内部に距離ｄ３３だけ突出させている（広義には、絶縁ブッシュ４を少なくとも電子部品の放熱板２を貫通して少なくとも第２の座繰り部２１の内部に突出させる）。また、絶縁性薄板３におけるネジ５（絶縁ブッシュ４）が通る透孔３ａを、第１および第２の座繰り部２０，２１の開口部よりも小さくしている。詳しくは、図６において透孔３ａは、座繰り部２０の開口部よりも幅Ｗ３１だけ小さく、座繰り部２１の開口部よりも幅Ｗ３２だけ小さくなっている。
【００３６】
この場合、絶縁ブッシュ４が第２の座繰り部２１を貫通して第１の座繰り部２０に突出し、座繰り部（第１、第２の座繰り部）２０，２１の内部、および、第１及び第２の座繰り部２０，２１の開口部よりも小さい絶縁性薄板の透孔３ａの内部に空間Ｓ３が形成される。この空間Ｓ３により、電子部品の放熱板２と放熱フィン１との間に空間ギャップＬ２１，Ｌ２２が形成されるとともに、電子部品の放熱板２と取付けネジ５との間に空間ギャップＬ２３が形成される。空間ギャップ（距離）Ｌ２１は、ｔ１＋Ｗ３１＋Ｗ３２であり、空間ギャップ（距離）Ｌ２２は、ｔ１＋ｄ３１＋ｄ３２であり、空間ギャップ（距離）Ｌ２３は、ｔ１＋ｔ２＋ｄ３２＋ｄ３３である。
【００３７】
このように、図１３に示した従来構造に比べ本実施形態においては電子部品の放熱板２と放熱フィン１との間の空間ギャップ（距離）Ｌ２１，Ｌ２２を、（Ｗ３１＋Ｗ３２）や（ｄ３１＋ｄ３２）分だけ大きくすることができる。また、電子部品の放熱板２と取付けネジ５との間の空間ギャップ（距離）Ｌ２３を、（ｄ３２＋ｔ１＋ｄ３３）分だけ大きくすることができる。よって、絶縁性が向上する。特に本実施形態においては放熱板〜放熱フィン間の空間ギャップ（Ｌ２１，Ｌ２２）および放熱板〜ネジ間の空間ギャップ（Ｌ２３）を第１，第２の実施形態よりも更に大きくすることができ、更に絶縁性が向上する。また、図１４に示したように絶縁性薄板１０５の厚さを変更する必要がなく、そのため、放熱性を図１２に示した構造と同等に維持することが可能となる。その結果、電子部品の放熱板２から放熱フィン１への放熱性を確保するとともに、放電による絶縁性破壊を回避することができる。
【００３８】
以上のように、放熱板２と放熱フィン１との間の空間ギャップおよび放熱板２とネジ５との間の空間ギャップを、相互に座繰り部２０，２１を設けて拡大することにより、放熱性を維持したまま絶縁性を向上させることができる。
（第４の実施の形態）
次に、第４の実施の形態を、第１の実施の形態との相違点を中心に説明する。
【００３９】
図７には、本実施の形態における電子部品の取付構造を示す。
放熱フィン３０が板材で構成されており、放熱部材側のナット３１のネジ穴３１ａにネジ５を螺入している。このように放熱フィン３０に凹状の座繰りを設けられない場合は、図７に示すように、板状の放熱フィン３０に貫通孔よりなる座繰り部３２を設ける。つまり、図１においては座繰り部は凹部であったが、座繰り部３２は板状の放熱フィン（放熱部材）３０を貫通する貫通孔である。そして、座繰り部３２の内部および絶縁性薄板の透孔３ａの内部に空間Ｓ４が形成される。
【００４０】
これは、第２の実施形態（図３，４）や第３の実施形態（図５，６）においても同じである。図５に対応する構成を図８に示す。図８において、第１の座繰り部４０として板状の放熱フィン（放熱部材）３０を貫通する貫通孔を設けるとともに、第２の座繰り部４１を放熱板２に設ける。そして、座繰り部（第１、第２の座繰り部）４０，４１の内部および絶縁性薄板の透孔３ａの内部に空間Ｓ５が形成される。
【００４１】
これまでの各実施形態においては、放熱フィンへの取付について説明したが、ケースに直接、取り付ける構造においても同様である。即ち、ケースを放熱部材として、同ケースに組み付ける場合に適用してもよい。
【図面の簡単な説明】
【図１】第１の実施の形態における電子部品の取付構造を示す断面図。
【図２】図１におけるＹ部の拡大図。
【図３】第２の実施の形態における電子部品の取付構造を示す断面図。
【図４】図３におけるＹ部の拡大図。
【図５】第３の実施の形態における電子部品の取付構造を示す断面図。
【図６】図５におけるＹ部の拡大図。
【図７】第４の実施の形態における電子部品の取付構造を示す断面図。
【図８】電子部品の取付構造を示す断面図。
【図９】電子部品の実装構造を示す正面図。
【図１０】図９のＡ矢視図。
【図１１】電子部品を示す図。
【図１２】従来技術を説明するための電子部品の取付構造を示す断面図。
【図１３】図１２におけるＹ部の拡大図。
【図１４】従来技術を説明するための電子部品の取付構造を示す断面図。
【符号の説明】
１…放熱フィン、１ａ…ネジ穴、２…放熱板、２ａ…取付け孔、３…絶縁性薄板、３ａ…透孔、４…絶縁ブッシュ、５…ネジ、６…座繰り部、１０…座繰り部、２０…第１の座繰り部、２１…第２の座繰り部、３０…放熱フィン、３１ａ…ネジ穴、３２…座繰り部、４０…第１の座繰り部、４１…第２の座繰り部。
【図１】
2004356596.tif 000003
【図２】
2004356596.tif 000004
【図３】
2004356596.tif 000005
【図４】
2004356596.tif 000006
【図５】
2004356596.tif 000007
【図６】
2004356596.tif 000008
【図７】
2004356596.tif 000009
【図８】
2004356596.tif 000010
【図９】
2004356596.tif 000011
【図１０】
2004356596.tif 000012
【図１１】
2004356596.tif 000013
【図１２】
2004356596.tif 000014
【図１３】
2004356596.tif 000015
【図１４】
2004356596.tif 000016